(57)【特許請求の範囲】
【請求項１】
キーワードが付加された情報が蓄積されている複数の携帯通信端末から構成され、
前記各携帯通信端末は、
他の携帯通信端末に対して前記情報の検索を行う場合、前記キーワードと予め設定された検索用設定条件とに基づいて検索用データを作成し、該検索用データを含む検索要求を前記他の携帯通信端末に発信する一方、当該携帯通信端末が前記他の携帯通信端末から前記検索要求を受信した場合、受信した該検索要求に含まれる前記検索用データのうちのキーワードと合致するキーワードを検索し、該キーワードに関連付けられた情報が取得された場合、該取得された情報が自身のものか、他者所有のものか、複数人所有のものかを判別し、判別の結果、他者所有のものであるときは、前記他者の承認を得た上で、複数人所有のものであるときは、自身を除く複数人全員の承認を得た上で、当該取得された情報を要求元の前記他の携帯通信端末へ発信する情報検索発信手段が設けられていることを特徴とする携帯通信端末システム。
【請求項２】
当該携帯通信端末で前記情報が取得されない場合、前記検索用データのうちの前記検索用設定条件を参照して、前記検索要求の中継転送を指示するためのホップについて使用許可が設定されているとき、前記検索要求を発信した前記他の携帯通信端末以外の他の携帯通信端末に該検索要求を中継転送する中継装置が設けられていることを特徴とする請求項１記載の携帯通信端末システム。
【請求項３】
前記各携帯通信端末は、
キーワードが付加された前記情報を蓄積するための第１の情報蓄積データベースを有し、
前記情報検索発信手段は、
前記キーワードと予め設定された検索用設定条件とに基づいて前記検索用データを作成するデータ作成手段と、
前記検索要求を前記他の携帯通信端末に発信する通信手段と、
前記取得された情報が他者所有のものであるとき、前記他者の承認を得た上で、当該取得された情報を要求元の前記他の携帯通信端末へ発信する承認処理手段とを有することを特徴とする請求項１記載の携帯通信端末システム。
【請求項４】
前記承認処理手段は、
前記他者の携帯通信端末と電子メールをやりとりすることにより、前記他者の承認を得る構成とされていることを特徴とする請求項３記載の携帯通信端末システム。
【請求項５】
前記中継装置は、
キーワードが付加された前記情報を蓄積するための第２の情報蓄積データベースと、
該第２の情報蓄積データベースを検索して前記情報が取得されない場合、前記検索要求を前記他の携帯通信端末へ中継転送して該当する情報が取得されたとき、前記第２の情報蓄積データベースに保存する通信制御手段とを有することを特徴とする請求項２記載の携帯通信端末システム。
【請求項６】
キーワードが付加された情報が蓄積されている複数の携帯通信端末から構成された携帯通信端末システムに用いられる情報検索発信方法であって、
前記各携帯通信端末は情報検索発信手段を備え、他の携帯通信端末に対して前記情報の検索を行う場合、前記情報検索発信手段に、前記キーワードと予め設定された検索用設定条件とに基づいて検索用データを作成し、該検索用データを含む検索要求を前記他の携帯通信端末に発信する情報検索発信処理を行わせる一方、
当該携帯通信端末が前記他の携帯通信端末から前記検索要求を受信した場合、前記情報検索発信手段に、受信した該検索要求に含まれる前記検索用データのうちのキーワードと合致するキーワードを検索し、該キーワードに関連付けられた情報が取得された場合、該取得された情報が自身のものか、他者所有のものか、複数人所有のものかを判別し、判別の結果、他者所有のものであるときは、前記他者の承認を得た上で、複数人所有のものであるときは、自身を除く複数人全員の承認を得た上で、当該取得された情報を要求元の前記他の携帯通信端末へ発信する情報検索発信処理を行わせることを特徴とする情報検索発信方法。
【請求項７】
当該携帯通信端末で前記情報が取得されない場合、中継装置が、前記検索用データのうちの前記検索用設定条件を参照して、前記検索要求の中継転送を指示するためのホップについて使用許可が設定されているとき、前記検索要求を発信した前記他の携帯通信端末以外の他の携帯通信端末に該検索要求を中継転送することを特徴とする請求項６記載の情報検索発信方法。
【請求項８】
前記各携帯通信端末では、キーワードが付加された前記情報を蓄積するための第１の情報蓄積データベースが設けられ、かつ、前記情報検索発信手段はデータ作成手段と通信手段と承認処理手段とを備え、
前記情報検索発信処理は、
前記データ作成手段が、前記検索用データを作成するデータ作成処理と、
前記通信手段が、前記検索要求を前記他の携帯通信端末に発信する通信処理と、
前記承認処理手段が、前記取得された情報が他者所有のものであるとき、前記他者の承認を得た上で、当該取得された情報を要求元の前記他の携帯通信端末へ発信する承認処理とを含んでいることを特徴とする請求項６記載の情報検索発信方法。
【請求項９】
前記承認処理では、
当該携帯通信端末が、前記他者の携帯通信端末と電子メールをやりとりすることにより、前記他者の承認を得ることを特徴とする請求項８記載の情報検索発信方法。
【請求項１０】
前記中継装置では、キーワードが付加された前記情報を蓄積するための第２の情報蓄積データベースと通信制御手段とが設けられ、
該通信制御手段が、該第２の情報蓄積データベースを検索して前記情報が取得されない場合、前記検索要求を前記他の携帯通信端末へ中継転送して該当する情報が取得されたとき、前記第２の情報蓄積データベースに保存する通信制御処理を行うことを特徴とする請求項７記載の情報検索発信方法。
【請求項１１】
コンピュータを、請求項１乃至５のいずれか一に記載の携帯通信端末システムとして機能させることを特徴とする情報検索発信プログラム。
【発明の詳細な説明】
【技術分野】
【０００１】
この発明は、携帯通信端末システム、該システムに用いられる情報検索発信方法及び情報検索発信プログラムに係り、たとえば、携帯電話機同士で情報を検索及び発信する場合に用いて好適な携帯通信端末システム、該システムに用いられる情報検索発信方法及び情報検索発信プログラムに関する。
【背景技術】
【０００２】
近年、情報化が進み、携帯通信端末で情報取得が可能になるなど、情報の検索及び発信が容易となっている。特に、携帯電話機は、現在では広く普及し、幅広い世代で使用されるようになっている。たとえば、平成２０年通信利用動向調査によると、９５．６％の普及率となっている。それに伴い、携帯電話機同士で情報を検索及び発信する機会が増加している。ところが、情報が余りにも多いため、必要な情報を容易に取得できない、また、取得できても、信頼性に問題があるといった情報洪水という現象が発生し、問題となっている。このため、携帯電話機などの携帯通信端末同士で情報の検索及び発信が支援される携帯通信端末システムが要求されている。
【０００３】
この種の関連技術としては、たとえば、特許文献１に記載されたコンテンツ交換装置がある。
このコンテンツ交換装置は、ネットワークを通じて、テーマを発信（リクエスト）する発信者の第１のユーザ端末と、このテーマに答えてコンテンツを投稿する複数の投稿者の第２のユーザ端末とが接続され、同コンテンツ交換装置を介したユーザ同士のコンテンツの交換や共有を可能とする。同コンテンツ交換装置では、リクエスト受信部により、当該テーマが受信され、リクエスト配信制御部により、当該テーマがユーザに配信される。文章解析部により、テーマからのリクエストキーワードの抽出及び記憶が行われる。ユーザ情報記憶部により、ユーザ情報が記憶される。リクエスト情報記憶部により、テーマ及びリクエストキーワードが記憶される。コンテンツに付与されたタグキーワードが記憶されるタグキーワード記憶部と、コンテンツ記憶部とにより、投稿されたコンテンツが記憶される。コンテンツ検索処理部により、テーマに対応するコンテンツの抽出と送信が行われる。コンテンツ受信部により、投稿者からのコンテンツの受信と記憶が行われる。関連付け処理部により、タグキーワードの順位付けが行われる。
【先行技術文献】
【特許文献】
【０００４】
【特許文献１】特開２００９−１３４６７５号公報
【発明の概要】
【発明が解決しようとする課題】
【０００５】
しかしながら、上記関連技術では、次のような課題があった。
すなわち、特許文献１に記載されたコンテンツ交換装置では、ユーザがテーマを出すだけで、ユーザの意図に合致するコンテンツを取得することができ、各コンテンツに対するタグキーワードの付与及び順位付けを容易に行うことが可能であるが、当該コンテンツ交換装置内部にコンテンツを記憶するコンテンツ記憶部があるなど、この発明とは構成が異なる。
【０００６】
この発明は、上述の事情に鑑みてなされたもので、情報の検索及び発信が支援される携帯通信端末システム、該システムに用いられる情報検索発信方法及び情報検索発信プログラムを提供することを目的としている。
【課題を解決するための手段】
【０００７】
上記課題を解決するために、この発明の第１の構成は、携帯通信端末システムに係り、キーワードが付加された情報が蓄積されている複数の携帯通信端末から構成され、前記各携帯通信端末は、他の携帯通信端末に対して前記情報の検索を行う場合、前記キーワードと予め設定された検索用設定条件とに基づいて検索用データを作成し、該検索用データを含む検索要求を前記他の携帯通信端末に発信する一方、当該携帯通信端末が前記他の携帯通信端末から前記検索要求を受信した場合、受信した該検索要求に含まれる前記検索用データのうちのキーワードと合致するキーワードを検索し、該キーワードに関連付けられた情報が取得された場合、該取得された情報が自身のものか、他者所有のものか、複数人所有のものかを判別し、判別の結果、他者所有のものであるときは、前記他者の承認を得た上で、複数人所有のものであるときは、自身を除く複数人全員の承認を得た上で、当該取得された情報を要求元の前記他の携帯通信端末へ発信する情報検索発信手段が設けられていることを特徴としている。
【０００８】
この発明の第２の構成は、キーワードが付加された情報が蓄積されている複数の携帯通信端末から構成された携帯通信端末システムに用いられる情報検索発信方法に係り、前記各携帯通信端末は情報検索発信手段を備え、他の携帯通信端末に対して前記情報の検索を行う場合、前記情報検索発信手段に、前記キーワードと予め設定された検索用設定条件とに基づいて検索用データを作成し、該検索用データを含む検索要求を前記他の携帯通信端末に発信する情報検索発信処理を行わせる一方、当該携帯通信端末が前記他の携帯通信端末から前記検索要求を受信した場合、前記情報検索発信手段に、受信した該検索要求に含まれる前記検索用データのうちのキーワードと合致するキーワードを検索し、該キーワードに関連付けられた情報が取得された場合、該取得された情報が自身のものか、他者所有のものか、複数人所有のものかを判別し、判別の結果、他者所有のものであるときは、前記他者の承認を得た上で、複数人所有のものであるときは、自身を除く複数人全員の承認を得た上で、当該取得された情報を要求元の前記他の携帯通信端末へ発信する情報検索発信処理を行わせることを特徴としている。
【発明の効果】
【０００９】
この発明の構成によれば、携帯通信端末同士で情報の検索及び発信が支援され、円滑なコミュニケーションが可能となる。また、取得された情報が他者所有のものであるときは、他者の承認を得た上で要求元の携帯通信端末へ発信されるので、情報の所有者が意図しない形での情報発信が防止される。
【図面の簡単な説明】
【００１０】
【図１】この発明の一実施形態である携帯通信端末システムの要部の構成を示す図である。
【図２】図１中の自端末１０の要部の電気的構成を示すブロック図である。
【図３】データの形式の例を示す図である。
【図４】図１中の固定装置２０の要部の電気的構成を示すブロック図である。
【図５】自端末１０による検索用データの作成及び発信を説明するフローチャートである。
【図６】各端末間における発信データの作成及び発信を説明するフローチャートである。
【図７】各端末と固定装置２０との間における発信データの作成及び発信を説明するフローチャートである。
【発明を実施するための形態】
【００１１】
当該携帯通信端末（自端末）でキーワードに関連付けられた情報が取得されない場合、上記検索用データのうちの上記検索用設定条件を参照して、上記検索要求の中継転送を指示するためのホップについて使用許可が設定されているとき、上記検索要求を発信した上記他の携帯通信端末（他端末）以外の他の携帯通信端末（他端末）に検索要求を中継転送する中継装置（固定装置）が設けられている携帯通信端末システムを実現する。
【００１２】
また、上記各携帯通信端末は、キーワードが付加された上記情報を蓄積するための第１の情報蓄積データベースを有し、上記情報検索発信手段は、上記検索用データを作成するデータ作成手段（データ作成部）と、同検索用データを含む検索要求を上記他の携帯通信端末に発信する通信手段（通信制御部、外部通信部）と、上記取得された情報が他者によって作成された情報であるとき、上記他者の承認を得た上で要求元の他の携帯通信端末へ発信する承認処理手段（承認処理部）とを有している。上記承認処理手段は、上記他者の携帯通信端末と電子メールをやりとりすることにより、上記他者の承認を得る構成とされている。
【００１３】
上記中継装置は、キーワードが付加された上記情報を蓄積するための第２の情報蓄積データベース（情報蓄積ＤＢ）と、同第２の情報蓄積データベースを検索して上記情報が取得されない場合、上記検索要求を上記他の携帯通信端末へ中継転送して該当する情報が取得されたとき、上記第２の情報蓄積データベースに保存する通信制御手段（通信制御部）とを有している。
【実施形態】
【００１４】
図１は、この発明の一実施形態である携帯通信端末システムの要部の構成を示す図である。
この形態の携帯通信端末システムは、同図に示すように、自端末１０と、固定装置２０と、他端末３１と、他端末群３２と、他端末３３とから構成され、同各端末は、たとえば携帯電話機などの携帯通信端末であり、キーワードが付加された情報が蓄積され、また、メール送受信、OBEX（Object Exchange Protocol、オブジェクト交換プロトコル）通信、Bluetooth 通信、Felica（登録商標）通信を行う機能を有している。特に、この実施形態では、自端末１０は、他端末３１に対して上記情報の検索を行う場合、キーワードと予め設定された検索用設定条件とに基づいて検索用データを作成し、同検索用データを含む検索要求（検索依頼）を同他端末３１に発信する。また、自端末１０は、他端末（たとえば、他端末３１など）から検索要求（情報発信）を受信した場合、受信した検索要求に含まれる検索用データのうちのキーワードと合致するキーワードを検索し、キーワードに関連付けられた情報が取得された場合、取得された情報が他者によって作成された情報であるときは、同他者の端末（たとえば、他端末群３２）へ承認依頼を電子メールで送信し、承認回答を得た上で要求元の他端末へ発信する。
【００１５】
固定装置２０は、たとえば自動改札装置や電子マネー読取り機（たとえば、Ｅｄｙ読取り機）などの通信機能を有する装置であり、自端末１０で上記キーワードに関連付けられた情報が取得されず、同自端末１０から検索要求（検索依頼）及び情報発信が行われた場合、検索用データのうちの検索用設定条件を参照して、上記検索要求の中継転送を指示するためのホップについて使用許可が設定されているとき、同検索要求を発信した他端末３１以外の他端末３３に同検索要求（検索依頼）を中継転送（展開）する。また、他端末３１、他端末群３２、及び他端末３３も、自端末１０と同様の機能を有している。
【００１６】
図２は、図１中の自端末１０の要部の電気的構成を示すブロック図である。
この自端末１０は、同図２に示すように、データ作成部１１と、通信制御部１２と、承認処理部１３と、検索設定部１４と、発信設定部１５と、設定情報ＤＢ（データベース）１６と、情報蓄積ＤＢ１７と、外部通信部１８とから構成されている。データ作成部１１は、キーワードと予め設定された検索用設定条件とに基づいて検索用データを作成する。特に、この実施形態では、データ作成部１１は、通信制御部１２により作成指示があった場合、検索設定部１４及び発信設定部１５の設定に基づいて、検索、発信、及び承認に関するデータを作成する。この場合、検索に関するデータの作成では、新たに検索するためのデータが作成される。発信に関するデータの作成では、他者からの検索用データを自端末１０で受信した際に、そのキーワードに基づく情報を他者に発信するためのデータが作成される。また、承認に関するデータの作成では、他者からのデータ発信の許可依頼に対する回答（承認／非承認の回答）、及び、自端末１０が他者所有のデータを発信できるか許可を依頼する承認依頼のデータが作成される。
【００１７】
ここで、上記データは、図３に示すように、「検索／発信／承認フラグ」、「発信元情報」、「承認状況フラグ」、「設定条件」、「設定キーワード」、「キーワードに基づく情報」によって構成される。「検索／発信／承認フラグ」は、データの用途を示すフラグであり、「検索」、「発信」、及び「承認」の用途に基づいて、それぞれ値が決まる。「発信元情報」は、データの発信元の情報（たとえば、電話番号「090xxxxxxxx 」、…）が記載されている部分であり、同データが自身（自端末）のものか他者（他端末）のものかを判別し、承認する場合には、承認先の決定に使用される。「承認状況フラグ」は、他者の情報の送信が承認されているか否かを示すフラグであり、他者の情報を発信に用いる場合に、「未」又は「済」に基づいて、送信可能か否かが判断される。
【００１８】
「設定条件」では、データを発信又は検索として送信する際の条件が記載され、「ホップ許可フラグ」、「起動条件機能」、「Felica通信用条件」、「メール送受信用条件」、「Bluetooth 通信用条件」、及び「OBEX通信用条件」が設定されている。「ホップ許可フラグ」は、自端末１０から固定装置２０へ検索を行った際に、キーワードが存在しない場合、同固定装置２０経由で他端末へ中継して検索を行うか否かを判断するためのフラグである。この場合、ホップが許可されている場合（「ＯＮ」）、固定装置２０側で検索用データが他端末へ展開（中継）され、情報収集が行われる。一方、ホップが許可されていない場合（「ＯＦＦ」）、固定装置２０でキーワードに該当する情報が存在しなければ、検索終了となる。「起動条件機能」は、起動している機能（「なし」、「ワンセグ」、…）に基づいて検索を実施するか否かを判定するための条件であり、たとえば、Ｊａｖａ（ジャバ（登録商標））実行中に実施した場合にのみ、検索を実行するなどの制限をかけるために用いられる。
【００１９】
「Felica通信用条件」は、Felica通信時のみに適用される「課金発生時のみ実行」という条件の適用（「ＯＮ」、「ＯＦＦ」、…）が設定されている部分である。「メール送受信用条件」は、メール送受信時のみに適用される「宛先が設定した対象者のみ実行」という限定条件（「Ａさん」、「ＯＦＦ」、…）が設定されている部分である。「Bluetooh通信用条件」は、Bluetooth 通信時のみに適用される「設定したプロファイルが使用中である場合のみ実行」という限定条件（「ＳＰＰ（Serial Port Profile ）」、「ＯＦＦ」、…）が設定されている部分である。「OBEX通信用条件」は、OBEX通信時のみに適用される「通信する対象データが設定したデータの場合のみ実行」という限定条件（「電話帳」、「ＯＦＦ」、…）が設定されている部分である。「設定キーワード」は、検索およ発信する際のキーワード（たとえば、「携帯電話ランキング」）が記載されている部分であり、データを送信する側にて設定される。「キーワードに基づく情報」は、キーワードに関連した情報（たとえば、「○社が売れ筋」、…）が記載されている部分である。
【００２０】
外部通信部１８は、外部インタフェース１８ａと、メーラ１８ｂとを有している。通信制御部１２は、検索用データを含む検索要求を外部通信部１８を介して他端末に発信する。特に、この実施形態では、通信制御部１２は、外部通信部１８と情報のやりとりを行い、取得した情報に設定されている条件に基づいて情報の処理を行い、検索、発信、及び承認データの作成が必要となれば、データ作成部１１へデータ作成の指示を行う他、検索設定部１４、発信設定部１５、及び情報蓄積ＤＢ１７を参照して、次の処理も決定する。
承認処理部１３は、取得された情報が他者によって作成された情報であるとき、その承認を得た上で要求元の他端末へ発信する。また、承認処理部１３は、他者から自身の情報の発信に関する承認依頼を受け取った際に、承認を実行する。この場合、承認処理部１３は、他者が自身の情報を発信する際に情報所有者である自身に承認を依頼するプロセスを踏ませることで、情報漏えいや情報所有者が意図しない形での情報発信の危険性を少なくする働きがある。また、承認処理部１３は、一つの情報を複数人で所持していた場合も、同様に、情報発信の際には所持人数分に承認依頼を発行し、各所持者に承認を得る。承認依頼は、自端末１０から電子メールで各所持者の端末へ発信される。各所持者からも、電子メールで返信があり、承認が得られた場合は、検索を依頼していた端末に対して、次回、外部通信を実施した際に該当のデータが渡される。ただし、発信元から承認者へ電子メールを送れない状況である場合は、承認が得られない。
【００２１】
検索設定部１４は、検索用データを管理及び制御し、検索する際に使用するキーワードの設定や条件の設定を行い、設定した情報を設定情報ＤＢ１６へ保存する。発信設定部１５は、発信データを管理及び制御し、情報を発信する際に使用するキーワードの設定や条件の設定を行い、設定した情報を設定情報ＤＢ１６へ保存し、また、発信する情報は情報蓄積ＤＢ１７から引用する。設定情報ＤＢ１６は、検索用データ及び発信データに関する設定を保存するデータベースであり、図３中の「設定条件」及び「設定キーワード」の部分が保存されている。情報蓄積ＤＢ１７は、発信する情報を保存するデータベースであり、キーワードが付加された情報が蓄積されている。特に、この実施形態では、情報蓄積ＤＢ１７には、図３中の「設定キーワード」及び「キーワードに基づく情報」の部分がセットで保存されている。これらのキーワード及び情報としては、検索が実施された際、そのときのキーワードと得られた情報が蓄積されることとなるが、自端末１０自身で追加及び修正することも可能である。この自端末１０は、コンピュータにより、情報検索発信プログラムに基づいて制御される。
【００２２】
図４は、図１中の固定装置２０の要部の電気的構成を示すブロック図である。
この固定装置２０は、同図４に示すように、データ作成部２１と、通信制御部２２と、検索データ保存ＤＢ２３と、情報蓄積ＤＢ２４と、外部通信部２５とから構成されている。データ作成部２１は、発信に関するデータを作成する。情報蓄積ＤＢ２４は、キーワードが付加された情報が蓄積される。外部通信部２５は、外部インタフェース２５ａと、メーラ２５ｂとを有している。通信制御部２２は、情報蓄積ＤＢ２４を検索して情報が取得されない場合、検索要求を外部通信部２５を介して他端末３３へ中継転送（展開）して該当する情報が取得されたとき、取得された情報を同情報蓄積ＤＢ２４に保存する。検索データ保存ＤＢ２３は、他端末３３へ展開するデータを一時保持するデータベースであり、データの送信元から別の検索用データを受け取った際に古いデータは削除される。この固定装置２０は、コンピュータにより、情報検索発信プログラムに基づいて制御される。
【００２３】
図５は、自端末１０による検索用データの作成及び発信を説明するフローチャート、図６は、各端末間における発信データの作成及び発信を説明するフローチャート、及び図７が、各端末と固定装置２０との間における発信データの作成及び発信を説明するフローチャートである。
これらの図を参照して、この形態の携帯通信端末システムに用いられる情報検索発信方法の処理内容について説明する。
この携帯通信端末システムでは、当該携帯通信端末（自端末１０）が他の携帯通信端末（他端末３１）に対して情報の検索を行う場合、情報検索発信手段（データ作成部１１、通信制御部１２、外部通信部１８、承認処理部１３）により、キーワードと予め設定された検索用設定条件とに基づいて検索用データが作成され、同検索用データを含む検索要求が他の携帯通信端末（他端末）に発信される。一方、当該携帯通信端末（自端末１０）が他の携帯通信端末（他端末３１）から検索要求を受信した場合、受信した検索要求に含まれる検索用データのうちのキーワードと合致するキーワードが検索され、同キーワードに関連付けられた情報が取得された場合、取得された情報が他者によって作成された情報であるときは、他者の承認を得た上で要求元の他の携帯通信端末（他端末）へ発信される（情報検索発信処理）。
【００２４】
また、当該携帯通信端末（自端末１０）でキーワードに関連付けられた情報が取得されない場合、中継装置（固定装置２０）により、検索用データのうちの検索用設定条件が参照され、検索要求の中継転送を指示するためのホップについて使用許可が設定されているとき、同検索要求を発信した他の携帯通信端末（他端末３１）以外の他の携帯通信端末（他端末３３）に同検索要求が中継転送（展開）される。
【００２５】
この場合、各携帯通信端末（端末）では、キーワードが付加された情報を蓄積するための第１の情報蓄積データベース（情報蓄積ＤＢ１７）が設けられ、情報検索発信処理では、データ作成手段（データ作成部１１）により、キーワードと予め設定された検索用設定条件とに基づいて検索用データが作成される（データ作成処理）。通信手段（通信制御部１２、外部通信部１８）により、検索用データを含む検索要求が他の携帯通信端末（端末）に発信される（通信処理）。そして、承認処理手段（承認処理部１３）により、上記取得された情報が他者によって作成された情報であるとき、他者の承認を得た上で要求元の他の携帯通信端末（端末）へ発信される（承認処理）。この承認処理では、当該携帯通信端末（端末）により、他者の携帯通信端末（端末）と電子メールをやりとりすることにより、他者の承認を得る。
【００２６】
中継装置（固定装置２０）では、キーワードが付加された情報を蓄積するための第２の情報蓄積データベース（情報蓄積ＤＢ２４）が設けられ、通信制御手段（通信制御部２２）により、同第２の情報蓄積データベースが検索されて情報が取得されない場合、検索要求が他の携帯通信端末（端末）へ中継転送（展開）されて該当する情報が取得されたとき、取得された情報が同第２の情報蓄積データベース（情報蓄積ＤＢ２４）に保存される（通信制御処理）。
【００２７】
すなわち、自端末１０では、図５に示すように、外部通信処理が開始されたら（ステップＡ１）、通信制御部１２により、検索設定部１４を用いて設定情報ＤＢ１６の検索時の「設定条件」のフィールドが確認される（ステップＡ２）。すなわち、検索設定部１４により、設定情報ＤＢ１６に保存されている「起動条件部」、「Felica通信用条件」、「メール送受信用条件」、「Bluetooth 通信用条件」、及び「OBEX通信用条件」の内容が確認され、設定条件に合致するか否かが確認される（ステップＡ３）。確認の結果、合致しなかった場合は（ステップＡ３のＮ）、そのまま通常通りの外部通信処理が実行され、処理が終了する。一方、合致した場合は（ステップＡ３のＹ）、通信制御部１２にてデータ作成部１１にデータ作成を依頼し（ステップＡ４）、同データ作成部１１は、検索設定部１４により、設定情報ＤＢ１６に保存されている「設定条件」及び「設定キーワード」が参照されて検索用データが作成される（ステップＡ５）。作成されたデータは、通信制御部１２へ渡され、外部通信部１８で送信する予定のデータに付加され（ステップＡ６）、送信される。付加したデータにて外部通信が実行される（ステップＡ７）。
【００２８】
また、各端末間では、図６に示すように、たとえば自端末１０で外部通信処理が開始され（ステップＢ１）、相手側の端末より検索用データ（すなわち、図３中の「検索／発信／承認フラグ」が「検索」になっているもの）が通信制御部１２で受信された場合（ステップＢ２）、同検索用データの設定キーワード部分に合致するキーワードが情報蓄積ＤＢ１７に存在するか否かが確認され（ステップＢ３）、存在しない場合は（ステップＢ３のＮ）、そのまま通常通りの外部通信処理が実行され、処理が終了する。一方、存在する場合（ステップＢ３のＹ）、情報蓄積ＤＢ１７に存在するデータの「発信元情報」が確認され、他者所有のデータであるか否かが確認され（ステップＢ４）、自身所有のデータであった場合は（ステップＢ４のＮ）、データ作成部１１において発信設定部１５を参考にして発信用データが作成され、通信制御部１２へ渡すことで（ステップＢ５）、外部通信部１８で送信する予定のデータに付加され（ステップＢ６）、送信される。付加したデータにて外部通信が実行される（ステップＢ７）。
【００２９】
また、上記ステップＢ４で、情報蓄積ＤＢ１７に存在するデータの「発信元情報」が確認され、他者所有のデータであった場合は（ステップＢ４のＹ）、図３中の「承認状況フラグ」を確認して承認済みか否かが確認され（ステップＢ８）、承認済みである場合は（ステップＢ８のＹ）、上記ステップＢ５へ進む。また、上記ステップＢ８で、図３中の承認状況フラグにより、未承認である場合は（ステップＢ８のＮ）、通信制御部１２において、データ作成部１１へ発信設定部１５を参考にして承認用データを作成する依頼を行い（ステップＢ９）、同通信制御部１２において、作成データが外部通信部１８で送信するデータに付加され（ステップＢ１０）、付加されたデータがメーラ１８ｂから外部インタフェース１８ａを経て関連所有者宛に送信される（ステップＢ１１）。この場合、相手側の端末では、そのまま通常通りの外部通信処理が行われ、処理が終了する。
【００３０】
また、固定装置２０では、図７に示すように、外部通信処理が開始され（ステップＣ１）、相手側の端末より検索用データ（検索／発信／承認フラグが「検索」になっているもの）が通信制御部２２で受信された場合（ステップＣ２）、データの「設定キーワード」の部分に合致するキーワードが情報蓄積ＤＢ２４に存在するか否かが確認され（ステップＣ３）、キーワードが存在しない場合は（ステップＣ３のＮ）、通信制御部２２で設定条件が確認され（ステップＣ４）、受信した検索用データの「ホップ許可フラグ」が確認し（ステップＣ５）、「ＯＮ」となっていれば（ステップＣ５のＹ）、通信制御部２２で検索データ保存ＤＢ２３に検索用データが保存される（ステップＣ６）。一方、上記ステップＣ５で「ホップ許可フラグ」が「ＯＦＦ」となっている場合（ステップＣ５のＮ）、検索用データが保存されずに次の処理（ステップＣ１０）へ進む。
【００３１】
また、上記ステップＣ３で、キーワードが存在する場合（ステップＣ３のＹ）、データ作成部２１において発信用データが作成されて通信制御部２２へ渡され（ステップＣ７）、同通信制御部２２において、作成データが外部通信で送信する予定のデータに付加される（ステップＣ８）。通信制御部２２において検索データ保存ＤＢ２３が確認され（ステップＣ９，Ｃ１０）、キーワード及び「ホップ許可フラグ」を確認した後、今回、通信相手としている端末に展開する必要がある他者の検索用データが存在するか否かが確認され（ステップＣ１１，Ｃ１２）、存在する場合（ステップＣ１１，Ｃ１２のＹ）、通信制御部２２において、検索データ保存ＤＢ２３に保存してあった検索用データが、送信するデータに付加され（ステップＣ１３）、付加されたデータで外部通信が実行される（ステップＣ１４）。一方、上記検索用データが存在しない場合は（ステップＣ１１，Ｃ１２のＮ）、既に付加したデータがあれば、それを含めて外部通信が実行され（ステップＣ１４）、付加したデータがない場合は、そのまま通常通りの外部通信処理が実行され、処理が終了する。
【００３２】
以上のように、この実施形態では、端末同士で情報の検索及び発信が支援され、円滑なコミュニケーションが可能となる。また、取得された情報が他者によって作成された情報であるときは、他者の承認を得た上で要求元の端末へ発信されるので、情報の所有者が意図しない形での情報発信が防止される。また、端末同士で情報が取得されない場合でも、固定装置２０により、検索要求が他の端末に中継転送されることにより、情報が取得されるので、効率的なコミュニケーションが可能となる。
【００３３】
以上、この発明の実施形態を図面により詳述してきたが、具体的な構成は同実施形態に限られるものではなく、この発明の要旨を逸脱しない範囲の設計の変更などがあっても、この発明に含まれる。
【産業上の利用可能性】
【００３４】
この発明は、携帯電話機に限らず、たとえば、ＰＨＳ（Personal Handyphone System）、ＰＤＡ（Personal Data Assistance，Personal Digital Assistants ；個人向け携帯型情報通信機器）などの携帯通信端末同士で情報を検索及び発信する場合全般に適用できる。
【符号の説明】
【００３５】
１０      自端末（携帯通信端末、携帯通信端末システムの一部）
１１      データ作成部（データ作成手段）
１２      通信制御部（通信手段の一部）
１３      承認処理部（承認処理手段）
１４      検索設定部（携帯通信端末の一部）
１５      発信設定部（携帯通信端末の一部）
１６      設定情報ＤＢ（データベース）（携帯通信端末の一部）
１７      情報蓄積ＤＢ（第１の情報蓄積データベース）
１８      外部通信部（通信手段の一部）
２０      固定装置（中継装置、携帯通信端末システムの一部）
２１      データ作成部（中継装置の一部）
２２      通信制御部（通信制御手段）
２３      検索データ保存ＤＢ（中継装置の一部）
２４      情報蓄積ＤＢ（第２の情報蓄積データベース）
２５      外部通信部（中継装置の一部）
３１，３２，３３      他端末（携帯通信端末）
【図１】
0005471373.tif 000002
【図２】
0005471373.tif 000003
【図３】
0005471373.tif 000004
【図４】
0005471373.tif 000005
【図５】
0005471373.tif 000006
【図６】
0005471373.tif 000007
【図７】
0005471373.tif 000008